(57)【要約】【課題】塗布量のばらつきを少なくし、安定した接着剤の塗布が可能であり、チップ部品間の隣接間隔が狭くても塗布された接着剤に接触することがなく、また、接着剤をノズル先端部に接触させないようにする。【解決手段】プリント回路基板上に接着剤を塗布する接着剤塗布ノズルにおいて、ノズル先端部１の外周部に凸部２を設け、接着剤吐出部先端３が凸部２と接触しない隙間４を設ける。ノズル先端部の外形寸法を１．５ｍｍ×１．５ｍｍ以下に、接着剤吐出部の寸法を０．９ｍｍ×０．３ｍｍ以下に、凸部の高さを０．１５ｍｍ以下にし、ノズル先端部に補強加工を施す。【選択図】  図１
2006013427.tif 000002
【特許請求の範囲】
【請求項１】
プリント回路基板上に接着剤を塗布する接着剤塗布ノズルにおいて、
該接着剤塗布ノズルの先端部の外周に凸部を設け、該接着剤塗布ノズルの先端部が該凸部と接触しない隙間を設けたことを特徴とする微小接着剤ノズル。
【請求項２】
請求項１記載の微小接着剤ノズルにおいて、
前記接着剤塗布ノズルの先端部の外形寸法を、１．５ｍｍ×１．５ｍｍ以下とすることを特徴とする微小接着剤ノズル。
【請求項３】
請求項１記載の微小接着剤ノズルにおいて、
前記接着剤塗布ノズルの吐出部口径の寸法を、０．９ｍｍ×０．３ｍｍ以下とすることを特徴とする微小接着剤ノズル。
【請求項４】
請求項１記載の微小接着剤ノズルにおいて、
前記接着剤塗布ノズルの先端部の凸部の高さ寸法を、０．１５ｍｍ以下とすることを特徴とする微小接着剤ノズル。
【請求項５】
請求項３記載の微小接着剤ノズルにおいて、
前記接着剤吐出部をワイヤー加工により施すことを特徴とする微小接着剤ノズル。
【請求項６】
請求項１記載の微小接着剤ノズルにおいて、
前記接着剤塗布ノズルの先端部に補強加工が施されることを特徴とする微小接着剤ノズル。
【請求項７】
請求項１記載の微小接着剤ノズルにおいて、
前記接着剤吐出部の形状を長穴の楕円形にして、プリント回路基板上に塗布された接着剤の形状も細長い楕円形になるように構成することを特徴とした微小接着剤ノズル。
【請求項８】
請求項１記載の微小接着剤ノズルにおいて、
前記接着剤吐出部の形状を長穴でかつひょうたん形にして、プリント回路基板上に塗布された接着剤の形状もひょうたん形状になるように構成することを特徴とした微小接着剤ノズル。
【請求項９】
請求項１記載の微小接着剤ノズルにおいて、
前記凸部の形状は、正面および裏面から見ると接着剤ノズルの縁が凸部になっているが、側面から見ると凸部と同じ高さ寸法の壁であることを特徴とする微小接着剤ノズル。
【請求項１０】
請求項８記載の微小接着剤ノズルにおいて、
前記接着剤吐出部の本体内部の形状を長穴の楕円形状にして、先端の吐出部の形状のみをひょうたん形に構成することを特徴とする微小接着剤ノズル。
【請求項１１】
請求項１から請求項１０のいずれかに記載の微小接着剤ノズルを用いて製作されたことを特徴とするプリント回路基板。
【請求項１２】
請求項１から請求項１０のいずれかに記載の微小接着剤ノズルを用いて製作されたことを特徴とする電子機器。
【発明の詳細な説明】
【技術分野】
【０００１】
本発明は、プリント回路基板上へ粘着物を塗布するための微小接着剤ノズル、およびこのノズルを用いた塗布装置に関するもので、詳細には、チップ部品等の微細部品用の接着剤塗布において、塗布量のバラツキが少なく、安定した接着剤の塗布が可能であり、さらにチップ部品間の隣接間隔が狭くても塗布された接着剤に接触することのない接着剤塗布ノズルおよび塗布装置に関するものである。
【背景技術】
【０００２】
従来、プリント回路基板に搭載されたチップ部品と挿入部品をはんだ付けする場合、フローはんだ槽において一括はんだ付け処理を行っていた。このはんだ付けの際には、プリント基板に搭載されたチップ部品を、プリント基板の下側になっても落下しないように、接着剤を用いてチップ部品を仮固定して落下を防止していた。
チップ部品の仮固定方法としては、粘着性の接着剤を図９に示す接着剤塗布装置を用いて図５（ｃ），（ｄ）に示すように、プリント回路基板のパッド１０の間に接着剤を１点（１４あるいは１７）１４または２点（１５あるいは１７）で適量塗布している。そして、チップ部品実装装置（図示省略）によりプリント回路基板上のパッド１０とチップ部品電極１６の位置合わせを行った後、チップ部品１６を搭載する。その後、硬化炉等により一括加熱して接着剤を硬化させ、チップ部品１６を仮固定させていた。
【０００３】
このような技術に関して、塗布ノズルを用いて接着剤を微細パターンとして塗布する方法については、例えば、実用新案登録第２５４４１２２号公報（特許文献１参照）および、特開平９−４６０３４号公報（特許文献２参照）に記載されている。
実用新案登録第２５４４１２２号公報には、ノズル本体の先端部に一対の接着剤吐出用ノズル部と一対のストッパ部を設けた技術が開示されているが、この方法では接着剤の塗布量を十分にかつ安定に保つことができないという問題があった。さらに、多品種のチップ部品のパッド形状に対応できないばかりでなく、ストッパ部の間隔がパッド部相互の間隔に影響を与えるので、高密度化（狭隣接実装）ができないという問題もあった。
一方、特開平９−４６０３４号公報には、ノズル部とストッパ部を一体形成して微細部品を密集して実装する技術について開示されているが、この方法では塗布された接着剤の径が広がって許容範囲を超えたり、一対のノズル間に接着剤が塗布されないという問題点があった。
【０００４】
近年においては、チップ部品の小型化、低価格化が進み、電子部品の実装も高密度化（狭隣接実装）している。特に１００５サイズ（１．０ｍｍｍ×０．５ｍｍ）チップ部品に対しては、電極部に接着剤がはみ出さないで、しかも仮固定するのに十分な量（適度な量）を安定して供給することが難かしいという問題があった。そのため、フローはんだ槽において一括はんだ付けするプリント回路基板面には、１００５サイズ（１．０ｍｍ×０．５ｍｍ）以下の微細チップ部品を採用することができず、プリント回路基板に電子部品を配置する際には、設計の自由度を著しく損なっていた。
そこで、本願出願人は、プリント回路基板上に微細チップ部品を接着するための接着剤を微細パターンとして塗布するとき、塗布量のばらつきが少なく安定して塗布することができ、またチップ部品間の隣接間隔が狭くできるようにする方法として、プリント回路基板上に接着剤を塗布する塗布ノズルにおいて、ノズル部先端に溝を設ける構造を提案した。
【０００５】
【特許文献１】実用新案登録第２５４４１２２号公報
【特許文献２】特開平９−４６０３４号公報
【発明の開示】
【発明が解決しようとする課題】
【０００６】
しかし、提案された接着剤塗布ノズルでは、チップ部品間の隣接間隔が狭いと、塗布された接着剤が隣接するチップ部品に接触する可能性があり、また、接着剤がノズルの先端部にも接触して、後で清掃しなければならないという問題があった。
【０００７】
（目的）
本発明の目的は、１．０ｍｍ×０．５ｍｍサイズのチップ部品等の微細部品用の接着剤塗布において、塗布量のばらつきを少なくし、安定した接着剤の塗布が可能であり、チップ部品間の隣接間隔が狭くても塗布された接着剤に接触することがなく、また、接着剤をノズル先端部に接触させることがない微小接着剤ノズルおよび接着剤塗布装置を提供することにある。
【課題を解決するための手段】
【０００８】
本発明の微小接着剤ノズルは、プリント回路基板上に接着剤を塗布する接着剤塗布ノズルにおいて、ノズル先端部の外周部に凸部を設け、接着剤吐出部先端が該凸部と接触しない隙間を設ける（請求項１）。
また、前記ノズル先端部の外形寸法が１．５ｍｍ×１．５ｍｍ以下とする（請求項２）。
また、接着剤吐出部の寸法を０．９ｍｍ×０．３ｍｍ以下とする（請求項３）。
また、凸部の高さを０．１５ｍｍ以下とする（請求項４）。
また、ノズル先端部に補強加工が施されたことを特徴とする（請求項５）。
本発明の接着剤塗布装置は、上記各接続剤塗布ノズルを用いて製作されたことを特徴とする。
【発明の効果】
【０００９】
本発明によれば、接続剤塗布ノズル先端の接着剤吐出部とプリント回路基板の間に隙間を設けたので、接着剤吐出部より吐出された接着剤を潰し、押し広げることがないため、塗布接着剤の塗布幅を狭く抑えることができる。
ノズル先端が隣接部品、隣接パッドおよび隣接付近に塗布された接着剤に接触することなく、接着剤塗布が可能である。
塗布される接着剤形状を長細い形状にでき部品ずれの防止、接着強度の強化が図れる。
溝深さ寸法を０．１５ｍｍ以下にすることで、接着剤の微少安定塗布が可能となる。
ワイヤー加工にて、微細加工が容易にできる。
接続剤塗布ノズル先端部の耐久性を向上させることができる。
ノズル先端の摩耗、変形等のダメージを軽減し、ノズル先端凸部を保護することができる。
上記各ノズルを使用することで、プリント回路基板を安価で生産することができる。
【発明を実施するための最良の形態】
【００１０】
図９は、本発明の微小接着剤ノズルを備えた接着剤塗布装置の全体構造図である。
図９において、２６は接着剤ノズル、２９はノズル先端部、４５は接着剤塗布ヘッド、４７は緩衝部、２１はプリント基板、３５はテーブル部、３７，３８はガイド部、２８はヘッド部である。ガイド部３７に案内されてＸ方向に移動するヘッド部２８と、ガイド部３８に案内されてＹ方向に移動するテーブル部３５を備えている。ヘッド部２８には、塗布ノズル２６を備えた接着剤塗布ヘッド４５が設けられ、テーブル部３５にはサポートピン３６を介してプリント回路基板２１が支持されている。ヘッド部２８をＸ方向に移動し、テーブル部３５をＹ方向に移動することにより、プリント回路基板２１上の接着剤を塗布すべき位置に塗布ノズル２６を位置決めして接着剤を塗布することができる。
なお、図９において、装置によっては、上部がＸ方向に移動し、下部のＹは固定されている機構があり、その逆に、上部Ｘが固定で、下部のＹ方向を移動させる機構も存在する。
【００１１】
図１０は、図９における塗布ノズルの拡大図である。
図１０において、５６は塗布ノズル、５７はノズル本体、５８は取り付け部、５９はノズル先端部である。破線で示した部分は、接着剤の入る容積部分である。下図における矢印は、上方から加えられたエアー圧力を示している。図のように、円錐状の容器の上方から中心の出口に向って集中的に圧力を加えることにより、吐出口から接着剤が吐出され（５４）、このとき、隅に接着剤が溜ることがなくなる。
【００１２】
（実施例）
図１は、本発明の一実施例に係るノズル先端部の構造を示す図である。
図１（ａ）は、ノズル先端部１の外観図であって、接着剤ノズルの全体から見ると、先端部１は極めて小さい部分である。
図１（ｂ）は正面図、図１（ｃ）は上面図、図１（ｄ）は側面図であって、それぞれ図１（ａ）のノズル先端部１の構造を示している。正面図（ｂ）から明らかなように、本実施例では、ノズル先端部１の破線内で示した接着剤吐出部７の出口は中央部に設けられ、接着剤塗布ノズル先端の周囲には、接着剤塗布ノズル先端凸部２が設けられている。すなわち、先端の周囲が凸部形状（高さ寸法は６）となっており、中央が凹部となっている。周囲の凸部２と接着剤吐出部７の出口との間には、隙間４が存在する。この隙間４の存在により、周囲の凸部２に囲まれた部分は空洞が形成される。
ノズル先端部の径５は、従来よりも大きい寸法である。具体的には、従来は０．５ｍｍ〜０．８ｍｍ径であったが、本実施例では、１．０ｍｍ径となっている。
上面図（ｃ）から明らかなように、接着剤塗布ノズル先端部１を上面から見ると、接着剤吐出部７の先端３は、細長い楕円を形成している。
【００１３】
図２は、図１のノズル先端部１をプリント基板８の上に接触させた場合の正面図である。
図２において、１はノズル先端部、２は凸部、３は接着剤吐出部先端、８はプリント基板である。いま、接着剤吐出部７の先端３から接着剤が吐出した状態が示されている。
プリント基板８と凸部２で囲まれた空洞内に吐出された接着剤が基板８に接触している。
このように、接着剤を接着剤吐出部７から吐出した場合、凸部２に接着剤が付着する心配がない。
【００１４】
図３は、プリント基板上のパッド部に順次接着剤を付着する状態を示す上面図である。
図３では、プリント基板上の複数のパッド部１０が配列されているうちの一部を示している。ノズル先端部１で上から順次、パッド部１０の間に接着剤を塗布していく状態が示され、現在は中央の破線内の塗布が行われている。接着剤９が塗布された状態からも明らかなように、本実施例では、接着剤９が隣接するパッド部１０に接触することがない。なお、７は接着剤吐出部である。
【００１５】
図４は、本実施例による接着剤塗布動作の説明図である。
図４（ａ）は基板８上にノズル先端１が配置された状態である。図４（ｂ）では、まず、接着剤塗布ノズル先端１の接着剤吐出部先端３から適量の接着剤１１を吐出する。この時、接着剤吐出部先端３と接着剤ノズル先端１の凸部２に隙間４が存在するため、凸部２に接着剤１１が付着することはない。
図４（ｃ）では、接着剤塗布ノズル１と先端の凸部２と、先に吐出された接着剤１１がプリント回路基板８と接触する。
この時、接着剤吐出部先端３は、ノズル先端凸部２によりプリント回路基板８と接触することはない。これにより、接着剤吐出部先端３から吐出され、プリント回路基板８に塗布された接着剤９は、押し潰され広がることが少なくなる。
【００１６】
図４（ｄ）に示すように、ノズル先端凸部間隔２が、接着剤吐出部先端３よりも広いため、ノズル先端凸部２を伝わり、吐出接着剤１１および塗布接着剤９がノズル先端外形寸法１２以上に広がることはない。
また、接着剤の吐出量に合わせて、凸部２の高さを設定することにより、塗布接着剤９が広がることを押さえることもできる。
なお、ノズル先端部１の上面の外形寸法５は、１．５ｍｍ×１．５ｍｍ以下にすれば、効果が大であって、加工可能な最小寸法は、０．３ｍｍｍ×０．３ｍｍである。
これにより、チップ部品間の隣接間隔が狭くても塗布された接着剤に接触されることがなく、また、接着剤をノズル先端部に接触させることがない、という条件に適合する。
また、接着剤吐出部先端３の口径の寸法は、０．９ｍｍ×０．３ｍｍ以下にすれば効果が大であって、加工可能な最小寸法は、０．１５ｍｍ×０．１２ｍｍである。
接着内に含まれる硬化剤等の粒子径が０．０６ｍｍ程度であり、ノズル内での接着剤詰まりを防ぐために、最低でも粒子径よりも倍の寸法が必要である。また、本実施例の接着剤ノズルでの特徴は、「塗布される接着剤が細長い楕円になる」であるため、長手方向は０．１２ｍｍよりも大きくしても差し支えはない。
さらに、凸部２の高さを、０．１５ｍｍ以下の寸法にすることが望ましく、本実施例では、０．０１ｍｍにすることができる。
実施例では、作成したノズルは凸部２の高さは０．０５ｍｍとなっているが、０．０３ｍｍ程度は問題なく作成できる。
接着剤吐出部７の貫通をワイヤー加工で施こすことにより、仕上りが向上できる。
また、ノズル先端部１に補強加工が施されることが望ましい。
なお、上記の寸法は、一例として、１００５サイズ（１．０ｍｍｍ×０．５ｍｍ）のチップ部品に対応したサイズの設定であるが、同じ形状で１６０８（１．６ｍｍ×０．８ｍｍ）サイズのチップでも対応が可能である。種々のサイズのチップ部品に適用した場合、１００５サイズのチップ部品より大きいものに対しては、製造可能なノズル先端部の外形寸法、吐出部口径の寸法、先端部の凸部の高さ寸法は、上記の数値よりもそれぞれ大きい数値となり、小さい場合には、上記の数値よりもそれぞれ小さい数値となる。ただ、加工精度が要求されるため、無限に小さくはならない。また、ノズル内での接着剤結まりが発生しない寸法が必要になる。
また、本ノズルサイズでも多点塗布を行えば、１６０８サイズのチップよりも大きい部品も接着可能であると予測できる。
【００１７】
図５は、従来の塗布接着剤と本発明のノズルでの塗布接着剤の相違点を示す図である。
図５（ａ），（ｂ）は本発明のノズルによる塗布接着剤の形状、図５（ｃ），（ｄ）は従来のノズルによる１点接着の塗布接着剤の形状、図５（ｅ），（ｆ）は従来のノズルによる２点接着の塗布接着剤の形状を示している。各図の上方が正面図、下方が平面図である。
本実施例のノズルと従来のノズルとは、接着剤ノズル先端の形状が異なるだけで、その他の接着剤全体の構造は同じである。図５において、８はプリント回路基板、１０はプリント基板パッド部、１３は本実施例の塗布形状、１７は接着面積、１６はチップ部品、１４は従来の丸１点の塗布形状、１５は従来の丸２点の塗布形状である。
【００１８】
図５（ａ）に示すように、プリント回路基板８上に２つのパッド部の間に、接着剤ノズル先端を当てて接着剤を塗布した場合、本実施例の塗布形状は１３に示すように、接着剤ノズル先端の接着剤吐出部７の先端３の形状とほぼ同じ塗布形状（細長い楕円）となる。
図５（ｂ）は、本実施例において、（ａ）によりプリント回路基板８上に２つのパッド部を配置し、その間に接着剤を塗布した後、両パッドに跨ってチップ部品１６を搭載した場合の塗布形状を示したものである。この場合には、チップ部品１６で上から押されるため、接着剤形状は１３の場合より少し拡がるが、ほぼ比例した大きさの形状（細長い楕円）となる。
【００１９】
一方、従来の塗布形状は、図５（ｃ）、（ｅ）に示すように、プリント回路基板８上に２つのパッド部を配置し、その間に接着剤ノズル先端で接着剤を塗布した場合、１個または２個の塗布形状（円形）となる。また、図５（ｄ）、（ｆ）に示すように、（ｃ）、（ｅ）で接着剤を塗布した後、両パッド１０に跨ってチップ部品１６を搭載した場合には、上から押されて接着剤形状は少し拡がるが、（ｃ）、（ｅ）の場合とほぼ同じ形状である。
従来例の２点塗布の場合には、平面図からも明らかなように、チップ部品１６の側面より広く接着剤がはみ出しているため、接着強度が大きい。一方、本実施例では、１点の塗布であるが、形状が細長いため、やはりチップ部品１６の側面より広く接着剤がはみ出しており、接着強度は大きい。
【００２０】
図６（ａ）〜（ｆ）は、従来の接着剤塗布ノズルの接着剤を吐出する前の状態と、プリント回路基板８上に接着剤を吐出し、接触する前の状態と、プリント回路基板８上に接着剤を接触させた状態の各々正面図と平面図を示している。
また、図７（ａ）〜（ｆ）は、本発明の一実施例に係る接着剤塗布ノズルの接着剤を吐出する前の状態と、プリント回路基板８上に接着剤を吐出し、接触する前の状態と、プリント回路基板８上に接着剤を接触させた状態の各々正面図と平面図を示している。
両者を比較すると、先ず接着剤を吐出する前の状態では、図６（ａ），（ｂ）に示すように、従来のノズルの径は０．５〜０．８ｍｍに対して、本実施例のノズル径は、図７（ａ），（ｂ）に示すように、１．０ｍｍであるため、ノズル径に対する接着剤容器の比率が、破線で示すように従来例では大きく、本実施例では小さくできる。平面図から明らかなように、従来例では円形であるのに対して、本実施例では細長い楕円である。
【００２１】
次に、接着剤を吐出させ、基板に接触する前の状態を比較すると、従来ノズルでは、図６（ｃ）（ｄ）に示すように、ノズル先端のプリント基板接触面１８’に接着剤１１’が接触しているのに対して、本実施例では、図７（ｃ），（ｄ）に示すように、ノズル先端のプリント基板接触面１８’に接着剤１１が接触していない。これにより、本実施例では、必要箇所以外の場所に接着剤を付着させることがなく、汚れが少ないので、後で清掃などの必要がない。
また、接着剤をプリント基板８に接触した状態を比較すると、従来ノズルでは、図６（ｅ），（ｆ）に示すように、接着剤吐出部先端１８’にも接着剤が付着しているため、塗布形状が吐出時の径よりも拡がって、かなり大きな寸法の円形状１９になるのに対して、本実施例では、図７（ｅ），（ｆ）に示すように、プリント基板８に接触させた時点でも、塗布形状が吐出時の径より拡がることはなく、接着剤吐出部先端３の口径とほぼ同じ細長い楕円形状である。
【００２２】
図６の従来の型と図７の本実施例の長所短所について整理する。
図６の従来型では、凸部２’と接着剤流動部７’が一体となっているため、ノズル先端のプリント回路基板接触面１８’に接着剤がはみ出すおそれがある。接着剤がはみ出した場合、接着剤塗布時、接着剤１１’にノズル先端プリント回路基板接触面１８’とプリント回路基板８’が接触する際に、接着剤が押しつぶされて塗布され（９）、ノズル先端外形より接着剤塗布幅が大きく塗布されてしまう（１９）。
一方、図７の本実施例では、ノズル先端部の凸部２を接着剤流動部７と独立させたことにより、凸部２を伝わり、ノズル先端プリント基板接触面に接着剤がはみ出すことがなくなる。
これにより、プリント回路基板８への接着剤１１の塗布時に、ノズル先端により押し潰され接着剤塗布幅を広げることがなくなり、微小安定塗布が可能となる。
【００２３】
図８は、本発明の他の実施例に係る接着剤塗布ノズル先端の形状を示す図である。
図８（ａ）は正面図、図８（ｂ）は平面図である。図７（ａ），（ｂ）と比べると、接着剤吐出部７の先端３の平面形状がひょうたん型をしている点が異なる。図７（ａ），（ｂ）のノズルでは、接着剤を塗布した場合に、接着剤吐出部７の先端３の形状が細長い楕円であるが、塗布された後の接着剤の形状がどうしても楕円の中央部で拡がる傾向にある。図８（ａ），（ｂ）のノズルでは、接着剤吐出部７の先端の形状がひょうたん型であるため、塗布された後の接着剤の形状が中央部分で拡がり、その結果、細長い楕円形になるという効果がある。図８（ａ）に示す破線内の接着剤の容器の形状も、ひょうたん形状の断面が継続した形でノズル内を貫通している。
なお、接着剤吐出部を形成するノズル本体内部の接着剤容器の断面を長穴の楕円形状にして、先端の吐出部の形状のみをひょうたん形にすることもできる。
【００２４】
図１１（ａ），（ｂ）は、それぞれ本発明の一実施例に係る接着剤塗布装置の駆動制御手段の構成図、および部品搭載記憶部の記憶内容を示すテーブル図である。
図１１（ａ）において、記憶部１１８は、部品搭載情報記憶部１２０、ヘッド位置記憶部１２１、ノズル位置記憶部１２２、およびテーブル位置記憶部１２３から成り、部品搭載情報記憶部１２０には、図１１（ｂ）に示すように、それぞれの部品名（チップ部品）０００１，０００２，・・・毎に搭載位置（ヘッド位置およびテーブル位置）Ｘ＝ａ，Ｙ＝ａ’、Ｘ＝ｂ、Ｙ＝ｂ’・・・、実装方向（ノズル位置）Ａ，Ｂ，・・および部品形状等の情報が記憶されている。
【００２５】
ヘッド位置記憶部１２１は、現在の搭載位置（ヘッド位置：Ｘ＝ａ）を記憶しており、テーブル位置記憶部１２３は現在の搭載位置（テーブル位置：Ｙ＝ａ）を記憶しており、またノズル位置記憶部１２２は現在の実装方向（ノズル位置：Ａ）を記憶している。
また、制御部１１９は、ヘッド駆動制御部１２４、接着剤吐出量制御部１３０、テーブル駆動制御部１３３およびノズル部先端とプリント回路基板８上面までの距離を検出する基板上面検出センサー部１２９を備えている。ヘッド駆動制御部１２４は、実装方向に合わせてノズル部を回転させるヘッド回転駆動部１２５と、接着剤塗布ヘッドを上下方向および水平方向（Ｘ方向）に移動させるヘッド垂直駆動部１２６およびヘッド水平駆動部１２７とを備えている。接着剤吐出量制御部１３０は、コンプレッサー１３１からノズル部へ供給する空気圧を制御するレギュレータ１３２を備えている。テーブル駆動制御部１３３は、テーブル部１３５を水平方向（Ｙ方向）に移動させるテーブル水平駆動部１３４を備えている。
【００２６】
図１２は、本発明の一実施例に係る接着剤塗布装置の動作フローチャートである。
接着剤を塗布する塗布位置は、部品搭載情報記憶部１２０に記憶されている情報を読み出す（ステップ１０１）。搭載位置Ｘ＝ｂ，Ｙ＝ｂ’と、ヘッド位置記憶部１２１に記憶されている現在の搭載位置Ｘ＝ａ、およびテーブル位置記憶部１２３に記憶されている現在の搭載位置Ｙ＝ａ’との比較演算処理を実施し、次にチップ部品を搭載する搭載位置を算出して決定する。ヘッド移動方向と移動距離を算出し（ステップ１０２）、ヘッド移動指示を出して（ステップ１０３）、ヘッドを移動させる（ステップ１０４）（Ｘ）。
また、テーブル移動方向と移動距離を算出し（ステップ１０５）、テーブル移動指示を出して（ステップ１０６）、テーブルを移動させる（ステップ１０７）（Ｙ）。
【００２７】
また、接着剤を塗布する塗布方向は、部品搭載情報記憶部１２０に記憶されている実装方向データ（Ｂ）と、ノズル位置記憶部１２２に記憶されている現在の実装方向（Ａ）とを比較して（ステップ１０９）、同じであればそのままとし（ステップ１１０）、異なっていれば実装方向に合わせてノズル部を回転させることを決定する（ステップ１１１，１１２）（Ｚ）。
ここで、現在のヘッド位置、テーブル位置、およびノズル位置（ノズル部の向き）情報を更新する（ステップ１１３）。この後、算出された搭載位置および実装方向のデータは、制御部１１９に伝達され、更にヘッド駆動制御部１２４、テーブル駆動制御部１３３に分配され、ヘッド部２８とテーブル部３５がモータ駆動（図示省略）において次の搭載位置へと接着剤塗布ヘッド４５を移動する。
【００２８】
装置に取り付けてある基板上面検出センサー部１２９によりプリント基板上面までの距離を計測し（ステップ１１４）、制御部１１９により塗布ヘッドの下降距離を算出し（ステップ１１５）、ヘッド垂直駆動部１２６に下降量を指示する（ステップ１１６）。ヘッド垂直駆動部１２６は指示された下降量だけ塗布ヘッドを下降させ、ノズル部をプリント基板上面まで下降させて、吐出量を制御して接着剤を適量塗布する（ステップ１１７）。塗布が一時終った時点でヘッドを上昇させ（ステップ１１８）、他の部品の塗布があるか否かを判断する（ステップ１１９）。
【図面の簡単な説明】
【００２９】
【図１】本発明の一実施例に係る接着剤塗布ノズルおよびその先端部の構造図である。
【図２】本発明における接着剤塗布ノズル先端とプリント回路基板の正面図である。
【図３】本発明における接着剤塗布ノズル先端と塗布接着剤の配置関係図である。
【図４】本発明における接着剤塗布過程の説明図である。
【図５】従来塗布接着剤と本発明のノズルでの塗布接着剤の相違点説明図である。
【図６】従来接着剤ノズルの塗布過程の正面と平面の説明図である。
【図７】本発明の接着剤ノズルの塗布過程の正面と平面の説明図である。
【図８】本発明の他の実施例に係る接着剤塗布ノズルおよびその先端部の構造図である。
【図９】本発明の接着剤塗布装置の概略図である。
【図１０】本発明の塗布ノズルのノズル本体内部の形状を示す模式図である。
【図１１】本発明の接着剤塗布装置の駆動制御手段のブロック構成図である。
【図１２】本発明の接着剤塗布装置の動作フローチャートである。
【符号の説明】
【００３０】
１…接着剤ノズル先端、２，２’…接着剤塗布ノズル先端凸部、３…接着剤吐出部先端、
４…隙間、５…ノズル先端外形寸法、６…先端凸部の高さ寸法、
７，７’…接着剤吐出部、８…プリント回路基板、９，９’…接着剤（塗布）、
１０…プリント基板パッド部、１１，１１’…接着剤（吐出）、
１２…ノズル先端外形寸法、１３…塗布形状、１４…従来の丸１点塗布、
１５…従来の丸２点塗布、１６…チップ部品、１７…接着面積、
１８…プリント回路基板接触面、１９…接着剤（大塗布）、２１…プリント回路基板、
２６…塗布ノズル、２９…ノズル部、２８…ヘッド部、３５…テーブル部、
３６…サポートピン、２７，３８…ガイド部、４５…接着塗布ヘッド、４７…緩衝部、
５４…接着剤、５６…塗布ノズル、５７…ノズル本体、５８…取り付け部、
５９…ノズル部先端、１１８…記憶部、１２０…部品搭載情報記憶部、
１２１…ヘッド位置記憶部、１２２…ノズル位置記憶部、１２３…テーブル位置記憶部、
１１９…制御部、１２４…ヘッド駆動制御部、１２５…ヘッド回転駆動部、
１２６…ヘッド垂直駆動部、１２７…ヘッド水平駆動部、１２８…ヘッド部、
１３０…接着剤吐出量制御部、１３１…コンプレッサー、１３２…レギュレータ、
１３３…テーブル駆動制御部、１３４…テーブル水平駆動部、１３５…テーブル部。
【図１】
2006013427.tif 000003
【図２】
2006013427.tif 000004
【図３】
2006013427.tif 000005
【図４】
2006013427.tif 000006
【図５】
2006013427.tif 000007
【図６】
2006013427.tif 000008
【図７】
2006013427.tif 000009
【図８】
2006013427.tif 000010
【図９】
2006013427.tif 000011
【図１０】
2006013427.tif 000012
【図１１】
2006013427.tif 000013
【図１２】
2006013427.tif 000014